(57)【要約】【課題】台紙を備えていないライナレス用紙をラベル用紙として用いても、容易に貼付けを行うことができるラベラーを提供する。【解決手段】印字されたライナレス用紙１０８を排出する排出口１１０と、この排出口１１０から排出されたライナレス用紙１０８の一部が貼付対象物に貼付けられたことを検出するための可動部材１１２、センサ部１１３ａと、ライナレス用紙１０８の一部が貼付対象物Ａに貼付けられたことを検知すると、ライナレス用紙の貼付けられていない部位を切断するカッタ１１１と、を備えることにより、容易にライナレス用紙を貼付けることができる。【選択図】図５
2011201562.tif 000002
【特許請求の範囲】
【請求項１】
裏面に接着層を有するラベル用紙を排出する排出口と、
この排出口から排出したラベル用紙の一部が貼付対象物に貼付けられたことを検出する検出部と、
この検出部によって前記ラベル用紙が貼付対象物に貼付けられたことを検知すると、前記ラベル用紙の貼付けられていない部位を切断するカッタと、
を備えたことを特徴とするラベラー。
【請求項２】
裏面に接着層を有するラベル用紙を排出口から排出し、この排出されたラベル用紙の一部が貼付対象物に貼付けられると、前記ラベル用紙の貼り付けられていない部位をカッタにより切断することを特徴とするラベラー。
【請求項３】
前記検出部は、前記排出口から突出する可動部材と、この可動部材が貼付対象物に接して移動したことを検出する可動部材用検出部とをさらに備えることを特徴とする請求項１または２のいずれかに記載のラベラー。
【請求項４】
前記可動部材は、貼付対象物に貼付けられたラベル用紙の表面を押さえることを特徴とする請求項３記載のラベラー。
【請求項５】
排出口から排出されたラベル用紙の一部が貼付対象物に貼付けられたことを直接的あるいは間接的に検出すると、この検出結果に基づいてカッタを駆動させて前記ラベル用紙の貼り付けられていない部位を切断してラベルを貼付けることを特徴とするラベル貼付方法。
【発明の詳細な説明】
【技術分野】
【０００１】
本発明は、ラベラー及びラベル貼付方法に関する。
【背景技術】
【０００２】
従来、物品にラベルを貼り付けるためのラベラーが知られている。例えば、特許文献１には、物品に付されたタグや荷札などに印刷されたバーコードや二次元コード等から物品を表す物品コード等の情報を読み取るスキャナと、このスキャナにより読み取った情報に基づいてラベルに印字する印字部とが一体となったラベラーが開示されている。
【０００３】
このラベラーは、台紙と台紙上に所定間隔で貼付けられたラベルからなるロール状のラベル用紙を用いるものである。具体的には、スキャナで読み取った情報に基づきラベルに印字を行い、印字されたラベルは剥離部で台紙から剥離される。剥離されたラベルは、排出口に位置する保持部で保持される。ユーザは、ラベラーのハンドルを持って、保持部で保持されたラベルを貼付対象物上に位置させることで貼付けることができる。
【発明の概要】
【発明が解決しようとする課題】
【０００４】
上記特許文献１に記載されたものは、台紙と台紙上に貼付けられたラベルからなるラベル用紙を用いることを前提とした構成であり、台紙のない用紙（以下、ライナレス用紙という）を用いることについて何ら開示されていない。ライナレス用紙は、台紙が存在しないので、ロール状に形成するために、ラベルが連続的に繋がっている。
【０００５】
ライナレス用紙は、ごみとなる台紙が存在しないので環境の面からも望ましいものである。しかしながら、上記特許文献１に記載されたラベラーでは、ライナレス用紙を用いることができないという課題があった。
【０００６】
本発明は、上記事情に鑑みてなされたものであって、ライナレス用紙を用いることが可能なラベラーを提供することを目的とし、また、ライナレス用紙を用いたラベルでも容易に貼付けることができるラベル貼付方法を提供することをも目的とする。
【課題を解決するための手段】
【０００７】
本発明のラベラーは、裏面に接着層を有するラベル用紙を排出する排出口と、この排出口から排出したラベル用紙の一部が貼付対象物に貼付けられたことを検出する検出部と、この検出部によって前記ラベル用紙が貼付対象物に貼付けられたことを検知すると、前記ラベル用紙の貼付けられていない部位を切断するカッタと、を備えたものである。
【０００８】
また、本発明のラベル貼付方法は、排出口から排出されたラベル用紙の一部が貼付対象物に貼付けられたことを直接的あるいは間接的に検出すると、この検出結果に基づいてカッタを駆動させて前記ラベル用紙の貼り付けられていない部位を切断してラベルを貼付けるものである。
【発明の効果】
【０００９】
本発明にかかるラベラーによれば、ラベル用紙としてライナレス用紙を用いることが可能となる。また、本発明にかかるラベル貼付方法によれば、ラベル用紙としてライナレス用紙を用いても容易に貼付けることができる。
【図面の簡単な説明】
【００１０】
【図１】図１は、本実施の形態にかかるラベラー外観図である。
【図２】図２は、本実施の形態にかかるラベラーの部分断面図である。
【図３】図３は、本実施の形態にかかるラベラーの排出口周辺の構成を示す説明図である。
【図４】図４は、本実施の形態にかかるラベラーの機能ブロック図である。
【図５】図５は、本実施の形態にかかるラベラーのラベル切断を説明するための説明図である。
【発明を実施するための形態】
【００１１】
以下に添付図面を参照して、この発明にかかるラベラーの一実施形態を詳細に説明する。なお、本実施の形態では、本発明に係るラベラーを、物品に付されるタグや荷札等に印刷されたバーコード等に対して光を当て、その反射光から画像を読み取るスキャナ付プリンタに適用した例について説明する。
【００１２】
図１は、本実施の形態にかかるスキャナ付プリンタの外観図である。図２は、本実施の形態にかかるスキャナ付プリンタの要部の構造を示す部分断面図である。なお、全体構成の理解を容易にするため、本件特許の検出部、カッタは図１では図示を省略している。これら構成については、図３、図５を用いて後述する。
【００１３】
本実施の形態にかかるスキャナ付プリンタ１は、本体ケース１００、印字情報を入力するためのバーコードスキャナ１０１、各種情報を表示する表示器１０２、印字情報等を入力するキー入力部１０３、スキャナからレーザー光を発するためのトリガスイッチ１０４、１０４ａ、ユーザがもつための握り部１０５、ラベルに印字するためのサーマルヘッド１０６、サーマルヘッド１０６に対向するプラテンローラ１０７などを備えている。
【００１４】
また、このスキャナ付プリンタ１の内部には、ロール状のライナレス用紙１０８が収納されている。ライナレス用紙１０８は、サーマルヘッド１０６に対向する表面が印字面で、プラテン１０７に対向する裏面が粘着層を有する粘着面となっている。
【００１５】
スキャナ１０１は、物品に付されるタグ等に印刷されたバーコードに対して光を当てて、その反射光から物品情報を読み取るものであり、この物品情報に基づいて、サーマルヘッド１０６で印字を行う。例えば、スキャナ１０１は、商品に付されたタグから商品情報を読み取り、これを後述するホストコンピュータに問い合わせて値引き情報を受信した後、この値引き情報に基づいて値引きラベルを印字するような場合に利用することができる。
【００１６】
表示器１０２は、液晶ディスプレイなど、物品情報や操作情報（例えば、手動入力された値引き額）などを表示するものである。キー入力部１０３は、ユーザにより印字情報を編集する場合等に用いられるものである。
【００１７】
握り部１０５は、ユーザがスキャナ付プリンタ１を持つときに握る部分であり、符号１０５ａで示す部分が導電性ポリマー材料で形成されている。なお、符号１０５ａで示す部分は、ユーザが握り部１０５を握っているか否かを検知するものとして機能する。
【００１８】
トリガスイッチ１０４は、握り部１０５に設けられ、スキャナ１による物品情報の読み取りを要求するスイッチである。
【００１９】
プラテンローラ１０７は、サーマルヘッド１０６とともにライナレス用紙１０８を挟むものであり、回転駆動されることによって、ライナレス用紙１０８を搬送する。
【００２０】
１１０は、印字されたライナレス用紙１０８が排出される排出口である。図３は、図１、図２で図示を省略した、排出口１１０周辺の内部構成を示す図である。ライナレス用紙１０８の搬送方向において、サーマルヘッド１０６、プラテン１０７の下流側、すなわち、サーマルヘッド１０６、プラテン１０７よりも排出口１１０側に位置して、ライナレス用紙１０８を切断するカッタ１１１が設けられている。
【００２１】
また、カッタ１１１の下流側には、可動部材１１２が設けられている。この可動部材１１２は、基端部１１３と先端部１１４とを備えており、基端部１１３の回動軸１１３ａを軸として本体ケース１００に回動可能に設けられている。基端部１１３には、圧力センサからなるセンサ部１１３ｂが設けられている。センサ部１１３ｂは、ライナレス用紙１１８の一部が貼付対象物に貼付けられたことを検出する検出部の一部を構成している。先端部１１４は、本体ケース１００外に突出している。
【００２２】
図４は、本実施の形態にかかるスキャナ付プリンタの構成を示すブロック図である。本実施の形態にかかるスキャナ付プリンタ１は、各種の演算処理を実行して各部を集中的に制御するＣＰＵ（Central  Processing  Unit）２０１を有している。このＣＰＵ２０１には、ＲＡＭ（Random  Access  Memory）２０３、および電源を切っても記憶内容を保持することができる不揮発性記憶部であるＦＲＯＭ（Flash  Read  Only  Memory）２０２がシステムバス（図示しない）を介して接続されている。
【００２３】
ＦＲＯＭ２０２は、スキャナ付プリンタ１の動作プログラムや各種設定情報を記憶する。ＣＰＵ２０１は、ＦＲＯＭ２０２に記憶された動作プログラム（値引き額や値札の印刷、値引き額の手動入力など物品に関する関連処理を実行するプログラムを含む）をＲＡＭ２０３にコピーして実行することにより各部を制御する。
【００２４】
ＲＡＭ２０３は、各種の可変情報を一時的に記憶するものであり、スキャナ付プリンタ１により印刷を行ったユーザと当該ユーザが実際に印刷した印刷枚数や印刷内容を示す印刷情報とを対応付けた印刷情報テーブル、スキャナ付プリンタ１により印刷を行ったユーザと当該ユーザがスキャナ付プリンタ１により印刷した時間を示す時間情報とを対応付けた時間情報テーブルなどを記憶している。
【００２５】
また、ＲＡＭ２０３は、ライナレス用紙１０８に印刷される印刷データ（画像データ）が展開される印刷バッファとして利用される。印刷データは、ホストコンピュータ２から受信した印刷対象となるデータであっても良いし、ＦＲＯＭ２０２に記憶されているデータであっても良いし、キー入力部１０３から入力された値引き額等であっても良い。
【００２６】
また、ＣＰＵ２０１には、表示制御回路２０４、通信Ｉ／Ｆ２０５、モータ制御回路２０６、ヘッド制御回路２０８、電源回路２０９、スキャナ制御回路２１１、キー入力部１０３、トリガスイッチ１０４、カッタ制御回路２１０、センサ１１３ｂがシステムバス（図示しない）を介して接続されている。
【００２７】
表示制御回路２０４は、ＣＰＵ２０１の制御のもとで、表示器１０２における表示（関連処理を選択するための操作画像を含むメニュー画面など）を制御する。通信Ｉ／Ｆ２０５は、ホストコンピュータ２などの外部の機器と通信を行うためのインタフェースである。通信Ｉ／Ｆ２０５は、例えば、赤外線通信、ＵＳＢ（Universal  Serial  Bus）、無線ＬＡＮ（Local  Area  Network）、ＲＳ−２３２Ｃ、Ｂｌｕｅｔｏｏｔｈ（登録商標）等により通信するためのもので、ホストコンピュータ２に設けられた通信Ｉ／Ｆとの通信が可能である。
【００２８】
モータ制御回路２０６は、ＣＰＵ２０１の制御のもとで、プラテンローラ１０７の駆動源であるステッピングモータ２０７を制御する。ヘッド制御回路２０８は、ＣＰＵ２０１の制御のもとで、サーマルヘッド１０６に印刷制御信号を出力する。スキャナ制御回路２１１は、ＣＰＵ２０１の制御のもとで、スキャナ１０１による物品情報の読み取りを制御する。
【００２９】
電源回路２０９は、キー入力部１０３によるスキャナ付プリンタ１の電源のＯＮ／ＯＦＦに従って、バッテリ２１０からスキャナ付プリンタ１の各部への電力の供給／遮断を制御する。
【００３０】
カッタ制御回路２１０は、ＣＰＵ２０１の制御のもとで、センサ部１１３ｂの出力に基づいてカッタ１１１の駆動を制御する。
【００３１】
次に、このスキャナ付プリンタ１によるラベルの印字、発行、貼付の各処理について説明する。操作者は握り部１０５を握ってスキャナ付プリンタ１を持ち、例えば、ある物品に付されたバーコードをスキャナ１０１で読み取り、その反射光から物品に関する物品情報を取得する。なお、スキャナ１０１でバーコードを読み取る際には、トリガスイッチ１０４を操作する。
【００３２】
物品情報を取得すると、スキャナ付プリンタ１は、通信Ｉ／Ｆ２０５を介してホストコンピュータから、この物品情報に関連した情報を取得し、この情報に基づいてサーマルヘッド１０６でラベルに印字を行う。印字後、ＣＰＵ２０１は、モータ制御回路２０６によってプラテンローラ１０７を制御して、ライナレス用紙１０８を所定量搬送する。その結果、印字されたライナレス用紙１０８の先端部が排出口１１０から本体ケース１００外に突出して、ラベルが発行される。
【００３３】
この状態で、ユーザは本体ケース１００から突出したライナレス用紙１０８、言い換えればラベルを、このラベルを貼付けるべき貼付対象物Ａに押し付ける。すると、図５に示すように、ラベルの先端部が貼付対象物Ａに貼付られるとともに、可動部材１１２の先端部１１４がラベルを介して貼付対象物Ａを押圧する。その結果、可動部材１１２が回動して貼付けられたラベルの先端部を貼付対象物Ａ側に押さえつける。
【００３４】
一方、可動部材１１４が回動することで、そのセンサ部１１３ｂが排出口１１０を形成する本体ケース１００に接する。そして、センサ部１１３ｂはＣＰＵ２０１に対して検出信号を出力する。ＣＰＵ２０１は、カッタ制御回路２１０に信号を出力し、カッタ制御回路２１０は、カッタ１１１を駆動する。その結果、図５に示されるように、カッタ１１１がライナレス用紙１０８を切断する。この状態で、ユーザは、スキャナ付プリンタ１を図５において右方向に移動させて、切断したラベルを貼付対象物Ａに貼付けることができる。
【００３５】
以上説明したように、本実施の形態におけるラベラーによれば、連続するライナレス用紙１０８の先端部が貼付対象物Ａに貼付らけれた状態になった後に、カッタ１１１でライナレス用紙１０８を切断することができる。このため、ラベルとしてライナレス用紙を用いても確実に貼付けを行うことができる。
【００３６】
また、ライナレス用紙１０８の先端部が貼付対象物Ａに貼付られたことを検出するための可動部材１１２を利用して、貼付らけれたライナレス用紙１０８の先端部を押さえつけるようにしたので、より確実にラベルを貼付けることができる。
【００３７】
なお、本実施の形態によれば、ラベル用紙の一部が貼付対象物Ａに貼付られたことを検出する検出部を、圧力センサからなるセンサ部１１３ｂを有する可動部材を備えた構成としたが、これに限るものではない。また、可動部材１１２の先端部１１４が貼付られたラベルを押さえつけた状態で、ラベル用紙の一部が貼付けられたことを検出する構成とすることにより、ラベル用紙の一部が貼付らけれたことを直接的に検出する構成としたが、これに限られるものではなく、間接的に検出する構成としてもよい。例えば、排出口１１０と貼付対象物との距離を検出して、この距離が所定以下になったときに、ラベル用紙の一部が貼付けられたと判断することも可能である。
【符号の説明】
【００３８】
１１０    排出口
１１２    可動部材
１１３ｂ  センサ部
１１１    カッタ
【先行技術文献】
【特許文献】
【００３９】
【特許文献１】特開２０００６‐３３５４４３公報
【図１】
2011201562.tif 000003
【図２】
2011201562.tif 000004
【図３】
2011201562.tif 000005
【図４】
2011201562.tif 000006
【図５】
2011201562.tif 000007